(57)【特許請求の範囲】
【請求項１】
主走査方向に複数の受光素子が並べられたイメージセンサーと、主走査方向を長手方向とし前記イメージセンサーに対し副走査方向の左右両側にそれぞれ設けられ、それぞれが光源を有する２本のランプと、を含み、原稿の読み取りのとき各前記光源を点灯させて前記イメージセンサーにより読み取りを行う読取部と、
前記読取部を副走査方向で移動させる移動機構と、
各前記ランプの光源の発光を制御する発光制御部と、
前記読取部の移動経路上に設けられるとともに、前記読取部の上方に設けられ、下側の面において副走査方向の中央部に、下向きの凸部を有するとともに、前記凸部に対して副走査方向の左右両側に前記凸部の下面よりも上側に位置する平坦面部が設けられた白基準板と、
前記イメージセンサーの各受光素子の出力値に基づき、濃度を示す値である濃度値を定める濃度確認部と、を含み、
副走査方向左側の前記平坦面部のうち、副走査方向左側の前記平坦面部と前記凸部との段差から、所定距離、副走査方向左側に離れた位置であって、左側の前記ランプからの照射光が副走査方向左側の前記平坦面部に届き、副走査方向右側の前記ランプからの光が段差で遮られて副走査方向左側の前記平坦面部に届かない位置を、左調整位置とし、副走査方向右側の前記平坦面部のうち、副走査方向右側の前記平坦面部と前記凸部との段差から、所定距離、副走査方向右側に離れた位置であって、右側の前記ランプからの照射光が副走査方向右側の前記平坦面部に届き、前記左側のランプからの照射光が段差で遮られて副走査方向右側の前記平坦面部に届かない位置を、右調整位置とし、
前記移動機構は、前記イメージセンサーが前記左調整位置を読み取る位置に前記読取部を移動させるとともに、前記イメージセンサーが前記右調整位置を読み取る位置に前記読取部を移動させ
前記読取部は、前記左調整位置と前記右調整位置で読み取りを行い、
前記濃度確認部は、前記左調整位置での読み取りで得られた前記濃度値と前記右調整位置での読み取りで得られた前記濃度値の差が無くなるように各前記ランプの前記光源の光量の調整量を個別に定め、
前記発光制御部は、前記調整量に基づき各前記ランプの前記光源の光量を個別に調整することを特徴とする画像読取装置。
【請求項２】
前記濃度確認部は、前記左調整位置での読み取りの方が濃いと認識したとき、左側の前記ランプの前記光源の光量を上げるように前記調整量を定め、前記濃度確認部が前記右調整位置での読み取りの方が濃いと認識したとき、右側の前記ランプの前記光源の光量を上げるように前記調整量を定めることを特徴とする請求項１記載の画像読取装置。
【請求項３】
前記濃度確認部は、前記左調整位置で読み取ったときの１つの前記受光素子の出力値又は複数の前記受光素子の出力値の平均値に基づき、前記左調整位置の濃度値を定め、前記右調整位置で読み取ったときの１つの前記受光素子の出力値又は複数の前記受光素子の出力値の平均値に基づき、前記右調整位置の濃度値を定めることを特徴とする請求項１又は２に記載の画像読取装置。
【請求項４】
前記移動機構は、いずれかの前記光源の光量を上げる調整がなされたとき、前記凸部を読み取る位置となるように前記読取部を移動させ、
前記発光制御部は、調整後の光量で各前記光源を発光させ、
前記読取部は、前記白基準板の前記凸部の読み取りを行い、
前記濃度確認部は、前記凸部を読み取ったときの１つの前記受光素子の出力値、又は、複数の前記受光素子の出力値の平均値に基づき参照値を定め、前記参照値が予め定められた許容範囲に収まっていないとき、前記許容範囲に収まるように、一部又は全ての前記光源の光量を減らす又は増やすことを特徴とする請求項１乃至３の何れか１項に記載の画像読取装置。
【請求項５】
前記移動機構は、左側の前記段差から前記左調整位置での前記イメージセンサーが読み取りを行う読取ラインまでの距離と、右側の前記段差から前記右調整位置での前記イメージセンサーが読み取りを行う読取ラインまでの距離とを同じ距離として、前記読取部を前記左調整位置及び前記右調整位置に移動させることを特徴とすることを特徴とする請求項１乃至４の何れか１項に記載の画像読取装置。
【請求項６】
前記移動機構は、副走査方向において、左側の前記段差から前記左調整位置での前記イメージセンサーが読み取りを行う読取ラインまでの距離、及び、右側の前記段差から前記右調整位置での前記イメージセンサーが読み取りを行う読取ラインまでの距離が、副走査方向からみて前記読取ラインと前記ランプの間の距離よりも短くなるように、前記読取部を前記左調整位置及び前記右調整位置に移動させることを特徴とする請求項１乃至５の何れか１項に記載の画像読取装置。
【請求項７】
前記移動機構は、複数の異なる前記左調整位置に前記読取部を移動させるとともに、複数の異なる前記右調整位置に前記読取部を移動させ、
前記読取部は、それぞれの前記左調整位置と前記右調整位置で読み取りを行い、
前記濃度確認部は、それぞれの前記左調整位置で読み取られた複数ラインについて、主走査方向と副走査方向で予め定められた個数の受光素子のブロックに含まれる複数の受光素子の出力値の平均値に基づき前記左調整位置の濃度値を定め、それぞれの前記右調整位置で読み取られた複数ラインについて、主走査方向と副走査方向で予め定められた個数の受光素子のブロックに含まれる複数の受光素子の出力値の平均値に基づき前記右調整位置の濃度値を定め、各前記濃度値の差が無くなるように前記光源の光量の調整量を定めることを特徴とする請求項１乃至６の何れか１項に記載の画像読取装置。
【請求項８】
各ランプは、棒状の導光体と、前記導光体の両端に２つの前記光源を含み、
前記濃度確認部は、主走査方向から見て手前側の２つの前記光源については、左調整位置で読み取ったときの前記ランプの中央よりも手前側に位置する１つの前記受光素子の出力値、又は、複数の前記受光素子の出力値の平均値に基づき左調整位置での前記濃度値を定め、右調整位置で読み取ったときの前記ランプの中央よりも手前側に位置する１つの前記受光素子の出力値、又は、複数の前記受光素子の出力値の平均値に基づき右調整位置での前記濃度値を定め、各前記濃度値の差が無くなるように手前側の前記光源の光量の調整量を定め、
主走査方向から見て奥側の前記光源については、左調整位置で読み取ったときの前記ランプの中央よりも奥側に位置する１つの前記受光素子の出力値、又は、複数の前記受光素子の出力値の平均値に基づき左調整位置での前記濃度値を定め、右調整位置で読み取ったときの前記ランプの中央よりも奥側に位置する１つの前記受光素子の出力値、又は、複数の前記受光素子の出力値の平均値に基づき右調整位置での前記濃度値を定め、各前記濃度値の差が無くなるように奥側の前記光源の光量の調整量を定めることを特徴とする請求項１乃至６の何れか１項に記載の画像読取装置。
【請求項９】
各前記ランプは、棒状の導光体と、前記導光体の端部に１つの光源を含み、
前記濃度確認部は、前記左調整位置で読み取ったときの前記ランプの中央部分に位置する１つの前記受光素子の出力値、又は、複数の前記受光素子の出力値の平均値に基づき前記左調整位置での前記濃度値を定め、前記右調整位置で読み取ったときの前記ランプの中央部分に位置する１つの前記受光素子の出力値、又は、複数の前記受光素子の出力値の平均値に基づき前記右調整位置での前記濃度値を定め、各前記濃度値の差が無くなるように前記光源の光量の調整量を定めることを特徴とする請求項１乃至６の何れか１項に記載の画像読取装置。
【請求項１０】
前記左調整位置の前記濃度値と前記右調整位置の前記濃度値の差に応じて、前記光源の光量の調整量を定めた光量調整テーブルを記憶する記憶部を含むことを特徴とする請求項１乃至９の何れか１項に記載の画像読取装置。
【請求項１１】
前記請求項１乃至１０の何れか１項に記載の画像読取装置を含むことを特徴とする画像形成装置。
【発明の詳細な説明】
【技術分野】
【０００１】
本発明は、原稿の読み取りを行う画像読取装置に関する。又、この画像読取装置を備えた複合機、複写機、プリンタ、ＦＡＸ装置等の画像形成装置に関する。
【背景技術】
【０００２】
画像読取装置は、光源から放たれ、原稿で反射された光をイメージセンサーに導き、画像データを得る。又、画像読取装置は複合機、複写機、ＦＡＸ装置などの画像形成装置に設けられることもある。そして、画像読取装置に複数個の光源が設けられることがある。しかし、全ての光源が点灯することが前提であり、光源が１つでも故障すると正確な読み取りを行うことができない。そこで、列状に並べられた複数のＬＥＤの故障検知を行う画像読取装置の一例が特許文献１に記載されている。
【０００３】
具体的に、特許文献１には、画像読取対象物を載置するガラス部材と、複数の発光素子が一列又は複数列に配置され画像読取対象物に光を照射する光源部と、画像読取対象物で反射した反射光を受光した結果に基づき画像読取対象物を撮像する撮像手段と、少なくとも光源部を有し、ガラス部材を挟んで画像読取対象物とは反対側をガラス部材の載置面に沿って移動可能な走行体と、ガラス部材の走行体移動方向端部に配置され、撮像手段により受光した反射光のシェーディング補正をおこなうための白基準となる白基準部材とを備え、走行体を白基準部材と対向する位置に移動し、発光素子により白基準部材に光を照射し、撮像手段により白基準部材で反射した反射光を受光した結果に基づき発光素子の故障検知をおこなう故障検知モードを有する画像読取装置が記載されている。この構成により、白基準部材を用いて受光した反射光に不均一な部分の有無に基づき、列状に並べた複数の発光素子のうち不均一な部分に対応する発光素子の故障を検知しようとする。（特許文献１：請求項１、段落［０００９］等参照）。
【先行技術文献】
【特許文献】
【０００４】
【特許文献１】特開２００９−０１０８３０号公報
【発明の概要】
【発明が解決しようとする課題】
【０００５】
画像読取装置には、ＣＩＳ（Contact Image Sensor）方式のイメージセンサ（密着型イメージセンサー）が用いられることがある。そして、ＣＩＳ方式のイメージセンサー（ラインセンサー）の両側にランプが配されるものがある。ラインセンサーの両側にランプを配した場合、一方のランプが故障等により点灯しなくても、主走査方向での光量自体は均一であり、画質は低下するものの、ある程度の読み取りを行える。
【０００６】
このようなイメージセンサーの両側にランプを配する場合、各ランプが発する光量は（発光レベル）は、均一で有ることが好ましい。シワや折り目のある原稿を読み取るとき、シワや折り目部分を照射する２つのランプからの光量に差があると、各ランプの光量差に起因して、原稿のシワの部分（シワによる影の部分）が強調されたような読み取り結果（画像データ）となるという問題がある。言い換えると、両側のランプの光量が均一でないとき、シワや折り目等の凹凸のある原稿を読み取ると、凹凸部に影ができ、本来不要な凹凸が読み取り結果に明確に現れるという問題がある。一方のランプが故障等で点灯しない場合等、両側のランプの光量の差が大きいほど、この問題は顕著となる。
【０００７】
尚、特許文献１を見ると、複数の発光素子を列状に配するものの、主走査方向にのびるランプとしては１つであり、イメージセンサーの両側にランプを配したものではない（特許文献１記載の画像読取装置は、いわゆるＣＣＤ方式）。言い換えると、イメージセンサーの両側に複数の発光素子を列状に配したものではない。又、上記の問題を示唆する記載もない。従って、特許文献１記載の発明では、上記の問題を解決できない。
【０００８】
本発明は、上記従来技術の問題点に鑑みてなされたものであり、イメージセンサーの両側に配されたランプの光量の均一化の調整を行えるようにして、原稿のシワの部分の強調を低減し、読み取りでの画質を高めることを課題とする。
【課題を解決するための手段】
【０００９】
請求項１に係る画像読取装置は、主走査方向に複数の受光素子が並べられたイメージセンサーと、主走査方向を長手方向とし前記イメージセンサーに対し副走査方向の左右両側にそれぞれ設けられ、それぞれが光源を有する２本のランプと、を含み、原稿の読み取りのとき各前記光源を点灯させて前記イメージセンサーにより読み取りを行う読取部と、前記読取部を副走査方向で移動させる移動機構と、各前記ランプの光源の発光を制御する発光制御部と、前記読取部の移動経路上に設けられるとともに、前記読取部の上方に設けられ、下側の面において副走査方向の中央部に、下向きの凸部を有するとともに、前記凸部に対して副走査方向の左右両側に前記凸部の下面よりも上側に位置する平坦面部が設けられた白基準板と、前記イメージセンサーの各受光素子の出力値に基づき、濃度を示す値である濃度値を定める濃度確認部と、を含み、副走査方向左側の前記平坦面部のうち、副走査方向左側の前記平坦面部と前記凸部との段差から、所定距離、副走査方向左側に離れた位置であって、左側の前記ランプからの照射光が副走査方向左側の前記平坦面部に届き、副走査方向右側の前記ランプからの光が段差で遮られて副走査方向左側の前記平坦面部に届かない位置を、左調整位置とし、副走査方向右側の前記平坦面部のうち、副走査方向右側の前記平坦面部と前記凸部との段差から、所定距離、副走査方向右側に離れた位置であって、右側の前記ランプからの照射光が副走査方向右側の前記平坦面部に届き、前記左側のランプからの照射光が段差で遮られて副走査方向右側の前記平坦面部に届かない位置を、右調整位置とし前記移動機構は、前記イメージセンサーが前記左調整位置を読み取る位置に前記読取部を移動させるとともに、前記イメージセンサーが前記右調整位置を読み取る位置に前記読取部を移動させ、前記読取部は、前記左調整位置と前記右調整位置で読み取りを行い、前記濃度確認部は、前記左調整位置での読み取りで得られた前記濃度値と前記右調整位置での読み取りで得られた前記濃度値の差が無くなるように各前記ランプの前記光源の光量の調整量を個別に定め、前記発光制御部は、前記調整量に基づき各前記ランプの前記光源の光量を個別に調整することとした。
【００１０】
白基準板に段差を設ければ、一方のランプの光を凸部で反射させ、イメージセンサーに届かせないようにして読み取りを行うことが可能となる。そこで、この構成によれば、濃度確認部は、左調整位置での読み取りで得られた濃度値と右調整位置での読み取りで得られた濃度値の差が無くなるように光源の光量の調整量を定める。これにより、別途センサーを設置することなく、２つのランプの光量の差（濃度値の差）を画像読取装置が本来備えるイメージセンサーを用いて認識することができる。そして、発光制御部は、濃度値の差が無くなるように光源の光量を調整する。従って、光量が等しくなるようにイメージセンサーの両側のランプの光量が調整されるので、原稿のシワや折り目の部分の強調を低減し、読み取りでの画質を高めることができる。
【００１１】
又、請求項２に係る発明は、請求項１の発明において、前記濃度確認部は、前記左調整位置での読み取りの方が濃いと認識したとき、左側の前記ランプの前記光源の光量を上げるように前記調整量を定め、前記濃度確認部が前記右調整位置での読み取りの方が濃いと認識したとき、右側の前記ランプの前記光源の光量を上げるように前記調整量を定めることとした。
【００１２】
この構成によれば、濃度確認部は、左調整位置での読み取りの方が濃いと認識したとき、左側のランプの光源の光量を上げるように調整量を定め、濃度確認部が右調整位置での読み取りの方が濃いと認識したとき、右側のランプの光源の光量を上げるように調整量を定める。これにより、両側のランプの合計の光量を確保しつつ、光量が等しくなるように、イメージセンサーの両側のランプの光量を調整することができる。
【００１３】
又、請求項３に係る発明は、請求項１又は２の発明において、前記濃度確認部は、前記左調整位置で読み取ったときの１つの前記受光素子の出力値又は複数の前記受光素子の出力値の平均値に基づき、前記左調整位置の濃度値を定め、前記右調整位置で読み取ったときの１つの前記受光素子の出力値又は複数の前記受光素子の出力値の平均値に基づき、前記右調整位置の濃度値を定めることとした。
【００１４】
この構成によれば、濃度確認部は、左調整位置で読み取ったときの１つの受光素子の出力値又は複数の受光素子の出力値の平均値に基づき、左調整位置の濃度値を定め、右調整位置で読み取ったときの１つの受光素子の出力値又は複数の受光素子の出力値の平均値に基づき、右調整位置の濃度値を定める。これにより、１つの受光素子の出力値に基づき濃度値を定めれば、極めて簡易な処理で、各調整位置の濃度値と、その濃度値の差（光量の差）を求めることができる。あるいは、複数の受光素子の出力値の平均をとって濃度値を定めることで、各受光素子（受光素子）での読み取り特性での個体差、ばらつきを低減しつつ、濃度値の差（光量の差）を認識することができる。
【００１５】
又、請求項４に係る発明は、請求項１乃至３の発明において、前記移動機構は、いずれかの前記光源の光量を上げる調整がなされたとき、前記凸部を読み取る位置となるように前記読取部を移動させ、前記発光制御部は、調整後の光量で各前記光源を発光させ、前記読取部は、前記白基準板の前記凸部の読み取りを行い、前記濃度確認部は、前記凸部を読み取ったときの１つの前記受光素子の出力値、又は、複数の前記受光素子の出力値の平均値に基づき参照値を定め、前記参照値が予め定められた許容範囲に収まっていないとき、前記許容範囲に収まるように、一部又は全ての前記光源の光量を減らす又は増やすこととした。
【００１６】
ランプの合計の光量が多すぎると、原稿のうち一定以上明るい部分がほぼ白で読み取られてしまうことがある（白飛び）。又、ランプの合計の光量が少なすぎると、原稿のうち一定以上暗い部分がほぼ黒として読み取られてしまうことがある（黒潰れ）。そこで、この構成によれば、濃度確認部は、凸部を読み取ったときの１つの受光素子の出力値、又は、複数の受光素子の出力値の平均値に基づき参照値を定め、参照値が予め定められた許容範囲に収まっていないとき、許容範囲に収まるように、一部又は全ての光源の光量を減らす又は増やす。これにより、光量調整の結果、各ランプの合計の光量が多くなりすぎることや、少なすぎることを防ぐことができる。ここで、「許容範囲」は、任意に定めることができ、原稿の読み取りを行う上で、白飛びや黒潰れの発生を回避できるように実験等により予め定められる適切で好適な参照値の範囲である。
【００１７】
又、請求項５に係る発明は、請求項１乃至４の発明において、前記移動機構は、左側の前記段差から前記左調整位置での前記イメージセンサーが読み取りを行う読取ラインまでの距離と、右側の前記段差から前記右調整位置での前記イメージセンサーが読み取りを行う読取ラインまでの距離とを同じ距離として、前記読取部を前記左調整位置及び前記右調整位置に移動させることを特徴とすることとした。
【００１８】
この構成によれば、移動機構は、左側の段差から左調整位置でのイメージセンサーが読み取りを行う読取ラインまでの距離と、右側の段差から右調整位置でのイメージセンサーが読み取りを行う読取ラインまでの距離とを同じ距離として、読取部を左調整位置及び右調整位置に移動させる。これにより、左調整位置での読取ラインと段差の位置関係と、右調整位置の読取ラインと段差の位置関係を同様の条件にすることができる。これにより、同じ条件で左調整位置と右調整位置の濃度値を比較することができ、各ランプの光量をより正確に均等とすることができる。
【００１９】
又、請求項６に係る発明は、請求項１乃至５の発明において、前記移動機構は、副走査方向において、左側の前記段差から前記左調整位置での前記イメージセンサーが読み取りを行う読取ラインまでの距離、及び、右側の前記段差から前記右調整位置での前記イメージセンサーが読み取りを行う読取ラインまでの距離が、副走査方向からみて前記読取ラインと前記ランプの間の距離よりも短くなるように、前記読取部を前記左調整位置及び前記右調整位置に移動させることとした。
【００２０】
この構成によれば、移動機構は、左側の段差から左調整位置でのイメージセンサーが読み取りを行う読取ラインまでの距離、及び、右側の段差から右調整位置でのイメージセンサーが読み取りを行う読取ラインまでの距離が、副走査方向からみて読取ラインとランプの間の距離よりも短くなるように、読取部を左調整位置及び右調整位置に移動させる。これにより、一方のランプからの光が確実に段差によって遮られるようにすることができる。従って、各ランプの光量の差（濃度値の差）の有無を確実に認識することができる。
【００２１】
又、請求項７に係る発明は、請求項１乃至６の発明において、前記移動機構は、複数の異なる前記左調整位置に前記読取部を移動させるとともに、複数の異なる前記右調整位置に前記読取部を移動させ、前記読取部は、それぞれの前記左調整位置と前記右調整位置で読み取りを行い、前記濃度確認部は、それぞれの前記左調整位置で読み取られた複数ラインについて、主走査方向と副走査方向で予め定められた個数の受光素子のブロックに含まれる複数の受光素子の出力値の平均値に基づき前記左調整位置の濃度値を定め、それぞれの前記右調整位置で読み取られた複数ラインについて、主走査方向と副走査方向で予め定められた個数の受光素子のブロックに含まれる複数の受光素子の出力値の平均値に基づき前記右調整位置の濃度値を定め、各前記濃度値の差が無くなるように前記光源の光量の調整量を定めることとした。
【００２２】
この構成によれば、濃度確認部は、それぞれの左調整位置で読み取られた複数ラインについて、主走査方向と副走査方向で予め定められた個数の受光素子のブロックに含まれる複数の受光素子の出力値の平均値に基づき左調整位置の濃度値を定め、それぞれの右調整位置で読み取られた複数ラインについて、主走査方向と副走査方向で予め定められた個数の受光素子のブロックに含まれる複数の受光素子の出力値の平均値に基づき右調整位置の濃度値を定める。これにより、受光素子ブロックに含まれる複数の受光素子の平均をとることで、各受光素子（受光素子）での読み取り特性での個体差、ばらつきを低減しつつ、濃度値の差（光量の差）を認識することができる。
【００２３】
又、請求項８に係る発明は、請求項１乃至６の発明において、各ランプは、棒状の導光体と、前記導光体の両端に２つの前記光源を含み、前記濃度確認部は、主走査方向から見て手前側の２つの前記光源については、左調整位置で読み取ったときの前記ランプの中央よりも手前側に位置する１つの前記受光素子の出力値、又は、複数の前記受光素子の出力値の平均値に基づき左調整位置での前記濃度値を定め、右調整位置で読み取ったときの前記ランプの中央よりも手前側に位置する１つの前記受光素子の出力値、又は、複数の前記受光素子の出力値の平均値に基づき右調整位置での前記濃度値を定め、各前記濃度値の差が無くなるように手前側の前記光源の光量の調整量を定め、主走査方向から見て奥側の前記光源については、左調整位置で読み取ったときの前記ランプの中央よりも奥側に位置する１つの前記受光素子の出力値、又は、複数の前記受光素子の出力値の平均値に基づき左調整位置での前記濃度値を定め、右調整位置で読み取ったときの前記ランプの中央よりも奥側に位置する１つの前記受光素子の出力値、又は、複数の前記受光素子の出力値の平均値に基づき右調整位置での前記濃度値を定め、各前記濃度値の差が無くなるように奥側の前記光源の光量の調整量を定めることとした。
【００２４】
主走査方向で光を放射する導光体の両端に光源が設けられるランプでは、主走査方向からみて手前側では、手前側に設けられた光源からの光がより多く放射され（手前側に設けられた光源の影響が強い）、主走査方向からみて奥側では、奥側に設けられた光源からの光がより多く放射される（奥側に設けられた光源の影響が強い）。そこで、この構成によれば、濃度確認部は、主走査方向から見て手前側の２つの光源については、手前側の２つの光源の間で各濃度値の差が無くなるように手前側の光源の光量の調整量を定め、奥側の２つの光源の間で各濃度値の差が無くなるように奥側の光源の光量の調整量を定める。これにより、ランプの両端に設けられた各光源の光量を、手前側と奥側のそれぞれの光源の組み合わせでランプの端部に設けられた各光源の光量を適切に調整することができる。
【００２５】
又、請求項９に係る発明は、請求項１乃至６の発明において、各前記ランプは、棒状の導光体と、前記導光体の端部に１つの光源を含み、前記濃度確認部は、前記左調整位置で読み取ったときの前記ランプの中央部分に位置する１つの前記受光素子の出力値、又は、複数の前記受光素子の出力値の平均値に基づき前記左調整位置での前記濃度値を定め、前記右調整位置で読み取ったときの前記ランプの中央部分に位置する１つの前記受光素子の出力値、又は、複数の前記受光素子の出力値の平均値に基づき前記右調整位置での前記濃度値を定め、各前記濃度値の差が無くなるように前記光源の光量の調整量を定めることとした。
【００２６】
主走査方向で光を放射する導光体の一方の端部に光源が設けられるランプでは、ランプの主走査方向の中央位置での光量が適切か否かが１つの目安となる。そこで、この構成によれば、濃度確認部は、左調整位置で読み取ったときのランプの中央部分に位置する１つの受光素子の出力値、又は、複数の受光素子の出力値の平均値に基づき左調整位置での濃度値を定め、右調整位置で読み取ったときのランプの中央部分に位置する１つの受光素子の出力値、又は、複数の受光素子の出力値の平均値に基づき右調整位置での濃度値を定め、各濃度値の差が無くなるように光源の光量の調整量を定める。これにより、ランプの一方の端部に設けられた各光源の光量を適切に調整することができる。
【００２７】
又、請求項１０に係る発明は、請求項１乃至９の発明において、前記左調整位置の前記濃度値と前記右調整位置の前記濃度値の差に応じて、前記光源の光量の調整量を定めた光量調整テーブルを記憶する記憶部を含む。
【００２８】
この構成によれば、左調整位置の濃度値と右調整位置の濃度値の差に応じて、光源の光量の調整量を定めた光量調整テーブルを記憶する記憶部を含む。これにより、光量調整テーブルを参照することで、濃度値の差に基づき、光源の光量を調整するための調整量を迅速、簡易に決定することができる。
【００２９】
又、請求項１１に係る発明は、請求項１乃至１０の何れか１項に記載の画像読取装置を含むこととした。
【００３０】
この構成によれば、画像形成装置の画像読取装置では、光量が等しくなるように、イメージセンサーの両側のランプの光量が調整され、原稿のシワや折り目の部分の強調を低減し、読み取りでの画質を高めた画像データを得ることができる。従って、高画質の画像データに基づき、高画質の印刷を行う画像形成装置を提供することができる。
【００３１】
尚、請求項１乃至１０の画像処理装置は、メッセージの報知を行う報知部を含み、前記報知部は、前記光源の光量を増やす調整が行われても、前記濃度確認部が前記左調整位置と前記右調整位置で読み取りでの前記濃度値に基づき、光量が増加していると認められないとき、前記ランプの異常を報知するようにしてもよい。これにより、各ランプの故障を検知することができるとともに、故障を使用者に報知することができる。
【００３２】
又、請求項１乃至１０の発明において、前記発光制御部は、前記光源に印加する電圧又は供給する電流のデューティ比を変化させて各前記光源の光量を調整するようにしてもよい。これにより、ランプの光源の光量を調整することができる。
【００３３】
あるいは、請求項１乃至１０の発明において、前記発光制御部は、前記光源に印加する電圧又は供給する電流の大きさを変化させて各前記光源の光量を調整するようにしてもよい。これにより、ランプの光源の光量を調整することができる。
【発明の効果】
【００３４】
本発明によれば、イメージセンサーの両側に配されたランプ光量の均一化の調整を行えるようにして、原稿のシワの部分の強調を低減し、読み取りでの画質を高めることができる。
【図面の簡単な説明】
【００３５】
【図１】複合機の模型的正面断面図である。
【図２】複合機のハードウェア構成の一例を示すブロック図である。
【図３】画像読取装置の一例を示す模型的正面断面図である。
【図４】画像読取装置の一例を示すブロック図である。
【図５】（ａ）は、読取部の断面図であり、（ｂ）はイメージセンサーの構造の一例を示す説明図である。
【図６】白基準板の一例を示す説明図である。
【図７】各ランプの光量調整の流れの一例を示すフローチャートである。
【図８】左調整位置の一例を示す説明図である。
【図９】右調整位置の一例を示す説明図である。
【図１０】光量調整テーブルの一例を示す説明図である。
【図１１】ランプ（光源）の異常報知画面の一例である。
【図１２】白基準板の読取位置の一例を示す説明図である。
【図１３】光源の光量調整後の全体的な光量調整の概念を説明するための説明図である。
【図１４】第２の実施形態での濃度値の定め方を説明するための説明図である。
【図１５】第３の実施形態での読取部を上方からみた模式図である。
【図１６】第４の実施形態での読取部を上方からみた模式図である。
【図１７】第５の実施形態での光量調整テーブルの一例を示す説明図である。
【発明を実施するための形態】
【００３６】
以下、本発明の実施形態を図１〜図１７を用いて説明する。まず、図１〜図１３を用いて複合機１０１（画像形成装置）を例に挙げて第１の実施形態を説明する。但し、各実施の形態に記載されている構成、配置等の各要素は、発明の範囲を限定するものではなく単なる説明例にすぎない。
【００３７】
（複合機１０１の構成の概要）
まず、図１を用い、第１の実施形態に係る画像読取装置１００を含む複合機１０１の概略を説明する。図１は、複合機１０１の模型的正面断面図である。
【００３８】
図１に示すように、本実施形態の複合機１０１は、上部に原稿カバー１０２と画像読取部１を含む画像読取装置１００を有する（詳細は後述）。又、画像読取部１の前面に操作パネル２（破線で図示、報知部に相当）が設けられ、複合機１０１本体内に、給紙部３ａ、搬送路３ｂ、画像形成部４ａ、定着部４ｂ等が設けられる。
【００３９】
図１に示すように、操作パネル２は、複合機１０１の正面上方に設けられる。そして、操作パネル２は、複合機１０１の状態や各種メッセージを表示する液晶表示部２１を備える。液晶表示部２１は、機能の選択、設定や文字入力等を行うためのキーを１又は複数表示できる。又、液晶表示部２１の上面にタッチパネル部２２（例えば、抵抗膜方式）が設けられる。タッチパネル部２２は、液晶表示部２１で押された部分の位置、座標を抽出するためのものである。又、操作パネル２には、コピー等の各種機能の実行開始を指示するためのスタートキー２３等、各種のハードキーも設けられる。
【００４０】
給紙部３ａは、複数の用紙（例えば、コピー用紙、普通紙、再生紙、厚紙、ＯＨＰシート等の各種シート）を収容し、１枚ずつ搬送路３ｂに送り込む。搬送路３ｂは、給紙部３ａから排出トレイ３１まで用紙を搬送する通路である。そして、搬送路３ｂには、用紙搬送の際に回転駆動する搬送ローラー対３２、３３や、搬送されてくる用紙を画像形成部４ａの手前で待機させ、トナー像形成とタイミングを合わせて用紙を送り出すレジストローラー対３４等が設けられる。
【００４１】
画像形成部４ａは、画像データに基づきトナー像を形成し、搬送される用紙にトナー像を転写する。そのため、画像形成部４ａは、図１中に示す矢印方向に回転駆動可能に支持された感光体ドラム４１、及び、感光体ドラム４１の周囲に配設された帯電装置４２、露光装置４３、現像装置４４、転写ローラー４５、清掃装置４６等を備える。
【００４２】
トナー像形成及び転写プロセスを説明する。感光体ドラム４１は、画像形成部４ａの略中心に設けられ、所定方向に回転駆動する。帯電装置４２は、所定電位に感光体ドラム４１を帯電させる。図１において、露光装置４３は、画像データに基づき、レーザ光を出力し、感光体ドラム４１表面を走査露光して画像データに応じた静電潜像を形成する。尚、画像データは、画像読取部１で得られた画像データや、ネットワーク等により接続される外部のコンピューター２００や相手方ＦＡＸ装置３００（図５参照）から送信された画像データ等が用いられる。
【００４３】
そして、現像装置４４は、感光体ドラム４１に形成された静電潜像にトナーを供給して現像する。転写ローラー４５は感光体ドラム４１に圧接し、ニップが形成される。そして、トナー像にあわせタイミングを図られつつ、用紙はニップに進入する。用紙進入時、転写ローラー４５には所定の電圧が印加され、用紙に感光体ドラム４１上のトナー像が転写される。清掃装置４６は、転写後に感光体ドラム４１に残留するトナーを除去する。
【００４４】
定着部４ｂは、用紙に転写されたトナー像を定着させる。本実施形態における定着部４ｂは主として発熱体を内蔵する加熱ローラー４７と加圧ローラー４８で構成される。加熱ローラー４７と加圧ローラー４８は圧接しニップを形成する。そして、用紙が、このニップを通過することで、用紙表面のトナーが溶融・加熱され、トナー像が用紙に定着する。トナー定着後の用紙は、排出トレイ３１が受け止める。このようにして、コピー機能、プリンタ機能の使用時、画像形成（印刷）が行われる。
【００４５】
（複合機１０１のハードウェア構成）
次に、図２に基づき、第１の実施形態に係る複合機１０１のハードウェア構成を説明する。図２は、複合機１０１のハードウェア構成の一例を示すブロック図である。
【００４６】
図２に示すように、本実施形態に係る複合機１０１は、内部に主制御部５を有する。主制御部５は、複合機１０１全体の制御を司る。例えば、主制御部５は、ＣＰＵ５１、記憶部５２等から構成される。
【００４７】
ＣＰＵ５１は、中央演算処理装置であって、記憶部５２に格納され、展開される制御プログラムに基づき複合機１０１の各部の制御や演算を行う。記憶部５２は、ＲＯＭ、ＲＡＭ、ＨＤＤ、フラッシュＲＯＭ等の記憶装置で構成される。記憶部５２は、複合機１０１の制御用プログラム、制御用データ、設定データ、画像読取部１でスキャンした画像データ等を記憶する。
【００４８】
そして、主制御部５は、画像読取装置１００（画像読取部１）、及び、複合機１０１内の給紙部３ａ、搬送路３ｂ、画像形成部４ａ、定着部４ｂ、操作パネル２等と接続され、記憶部５２の制御プログラムやデータに基づき、適切に画像形成が行われるように各部の動作を制御する。
【００４９】
更に、主制御部５は、各種コネクタ、ソケット、通信制御用のチップ等を備えたＩ／Ｆ部５３と接続される。Ｉ／Ｆ部５３は、ネットワークやケーブルや公衆回線等によりコンピューター２００（例えば、パーソナルコンピューターやサーバー）や、相手方のＦＡＸ装置３００と複合機１０１とを通信可能に接続する。例えば、設定データ等を含む画像データを外部のコンピューター２００や相手方ＦＡＸ装置３００（インターネットＦＡＸでもよい）と送受信に送信することができる（スキャナ機能、ＦＡＸ機能）。又、外部のコンピューター２００や相手方ＦＡＸ装置３００からの画像データを記憶部５２に蓄積したり、印刷したりすることもできる（プリンタ機能、ＦＡＸ機能）。
【００５０】
（画像読取装置１００の概要）
次に、図３に基づき、第１の実施形態に係る画像読取装置１００を説明する。図３は画像読取装置１００の一例を示す模型的正面断面図である。
【００５１】
本実施形態の画像読取装置１００は、複合機１０１に含まれる。そのため、図３は、複合機１０１中の原稿カバー１０２と画像読取部１のみを抽出し拡大した図である。そして、原稿カバー１０２は、図３の紙面垂直方向の奥側に設けられた支点（不図示）により、上方に持ち上げ可能である。そして、使用者は、原稿カバー１０２を開けて、原稿をコンタクトガラス１１に載せる。その後、使用者は、原稿カバー１０２を閉じ、原稿を原稿カバー１０２で押さえる。
【００５２】
次に、画像読取部１を説明する。画像読取部１は、上面に透明板状のコンタクトガラス１１を含む。画像読取部１は、コンタクトガラス１１に載置された原稿に光を照射し、その反射光に基づき原稿を読み取って画像データを生成する。
【００５３】
そして、原稿の読み取りを行うため、画像読取部１は、ＣＩＳ（Contact Image Sensor）方式の読取部６を備える（読取部６の詳細は後述）。読取部６は、コンタクトガラス１１の下方に設けられる。
【００５４】
又、読取部６は、ワイヤ１２（移動機構に相当）で巻取ドラム１３（移動機構に相当）に接続される。巻取ドラム１３は、正逆回転する巻取モータ１４（図４参照、移動機構に相当）により回転させられ、読取部６を水平方向（複合機１０１の左右方向）に自在に移動させることができる。尚、読取部６には複数本のワイヤ１２が接続され、複数本のワイヤ１２は、画像読取部１内で架けまわされるが、図３では、便宜上、ワイヤ１２は一本のみ図示している。
【００５５】
コンタクトガラス１１上の原稿を読み取る時、読取部６は、巻取ドラム１３の回転駆動によりを水平方向に移動させられる。尚、本実施形態の画像読取装置１００（複合機１０１）には、原稿カバー１０２に代えて、原稿を１枚ずつ読み取り位置に自動的、連続的に搬送する原稿搬送装置を装着することもできる。そして、コンタクトガラス１１の左側に、コンタクトガラス１１と間隔を隔てて、送り読取用コンタクトガラス１５が設けられる。原稿搬送装置が取り付けられる場合、原稿搬送装置が搬送する原稿は、送り読取用コンタクトガラス１５上を通過する。読取部６は、送り読取用コンタクトガラス１５を通過する原稿を読み取る。
【００５６】
ここで、コンタクトガラス１１と送り読取用コンタクトガラス１５の間にガイド部材１６が設けられる。ガイド部材１６の上面には、コンタクトガラス１１に原稿を載置する上での基準となる位置や用紙サイズが記される。尚、ガイド部材１６は、原稿搬送装置が設けられたとき原稿の搬送をガイドする機能も有する。ガイド部材１６内部の下方には、白基準を得るための白基準板７が設けられる。白基準板７は、画像読取装置１００の主走査方向（原稿搬送方向と垂直な方向、図３の紙面に対し垂直な方向）に伸びる板である。又、白基準板７は下方に向けた凸部７１を有する（白基準板７の詳細は後述）。
【００５７】
（画像読取装置１００のハードウェア構成と画像データの流れ）
次に、図４に基づき、第１の実施形態に係る画像読取装置１００のハードウェア構成と画像データの生成を説明する。図４は、画像読取装置１００の一例を示すブロック図である。尚、図４では、画像データの流れは、白抜矢印で図示している。
【００５８】
画像読取装置１００の一部である画像読取部１には読取制御部１０（濃度確認部に相当）が設けられる。読取制御部１０は、ＣＰＵ、チップ等の各種電子部品が実装された基板である。尚、読取制御部１０内には、記憶部１０ａを設けることができる。記憶部１０ａは、例えば、画像読取装置１００の制御のためのプログラムやデータを記憶する。そして、読取制御部１０は、複合機１０１本体の主制御部５と通信可能に接続される。操作パネル２のスタートキー２３が押された場合など原稿の読み取りを行う場合、主制御部５は、読取制御部１０に原稿読み取りの指示を与える。読取制御部１０は、主制御部５の指示を受け画像読取装置１００の制御を行う。又、読取制御部１０内には、読取部６の各ランプ８の各光源８０の点灯、消灯や、光量を制御する発光制御部１０ｂが設けられる。発光制御部１０ｂは、各光源８０に電流を供給する回路である。尚、発光制御部１０ｂは、読取制御部１０外に設けられても良い。
【００５９】
本実施形態では、発光制御部１０ｂは、各光源８０の点灯時間と消灯時間を制御することで光量を調整する。具体的に、発光制御部１０ｂは、各光源８０に対し個別にＰＷＭ信号を発し、ＰＷＭ信号のデューティ比（点灯させるオン時間と消灯させるオフ時間の割合）を調整して、各光源８０の光量を調整、制御する。従って、本実施形態の発光制御部１０ｂは、ＰＷＭ回路を複数含む。
【００６０】
原稿を読み取るとき、読取制御部１０は、読取部６を動作させる。読取部６は、複数のランプ８（左ランプ８Ｌと右ランプ８Ｒ）とイメージセンサー９を含む（詳細は後述）。具体的には、読取制御部１０は、原稿を読み取るとき、読取部６の各ランプ８を点灯させ、イメージセンサー９を駆動させる。又、読取制御部１０は、巻取ドラム１３を回転させる巻取モータ１４を制御する。
【００６１】
尚、本実施形態のイメージセンサー９は白黒での読み取りが可能である。そのため、イメージセンサー９は、Ｂｋ／Ｗ（白黒読取用）のラインセンサーを含む。又、カラーでの読み取りにも対応できるようにするため、イメージセンサー９は、例えば、更に、Ｒ（レッド用）、Ｇ（グリーン用）、Ｂ（ブルー用）の３つのラインセンサーを含んでもよい。
【００６２】
読取部６のイメージセンサー９の出力は処理部１７に入力される。処理部１７は、例えば、Ａ／Ｄ変換部１７ａ、基準値保持部１７ｂ、補正部１７ｃ、画像メモリー１７ｄ等を含む。処理部１７は、各種電子回路やＡＳＩＣ等の画像処理専用の回路やメモリーを含む。そして、イメージセンサー９の各受光素子９０は、反射光を光電変換し、反射光のレベル（受光量）に応じて電荷を蓄え、一定タイミングで電荷を吐き出す。言い換えると、各受光素子９０は、反射光の強さに応じた電圧（電流）を出力する。イメージセンサー９はラインセンサーの各受光素子９０によるアナログ出力（例えば、電圧）を処理部１７に向けて出力する。場合により、イメージセンサー９内外に各受光素子９０の出力を増幅する増幅部が設けられてもよい。この場合、処理部１７は、増幅後の電圧値を各受光素子９０からの出力値として受け取る。
【００６３】
処理部１７のＡ／Ｄ変換部１７ａは各受光素子９０のアナログ出力（アナログ出力電圧）をディジタル値に変換する（以下、変換されたディジタル値を「出力値」と称する）。尚、各受光素子９０のアナログ出力を変換したディジタルの出力値が、本発明での濃度値を定めるために用いられる（詳細は後述）。
【００６４】
又、各受光素子９０の感度のばらつきや主走査方向での位置による原稿への照射光のムラ等を考慮し、各受光素子９０のディジタルの出力値の階調化を行って、予め定められたビット数（例えば、８〜１０ビット）の画素値とするため白基準値と黒基準値を記憶する基準値保持部１７ｂが設けられる。ラインセンサーが複数設けられるとき、基準値保持部１７ｂは、各色のラインセンサーについて白基準値や黒基準値を保持する。
【００６５】
ここで、画素値への階調化での黒基準値と白基準値を説明しておく。まず、白基準値と黒基準値の取得を説明する。読取制御部１０は、原稿読取前や主電源投入後や省電力モードからの復帰時に、読取部６に読取を行わせ、基準値保持部１７ｂに黒基準値と白基準値を保持させる。
【００６６】
本実施形態では、読取制御部１０は、各ランプ８（左ランプ８Ｌと右ランプ８Ｒ）を消灯させた状態でのイメージセンサー９の各受光素子９０の出力値（出力電圧値）を各受光素子９０の黒基準値として基準値保持部１７ｂに記憶させる。言い換えると、基準値保持部１７ｂは、各ランプ８消灯時の各受光素子９０からのアナログ出力電圧をＡ／Ｄ変換部１７ａが変換したディジタル値を取得し、各受光素子９０の黒基準値として記憶する。具体的には、基準値保持部１７ｂは、各ランプ８消灯時の各受光素子９０の出力値を数ライン分取得し、各受光素子９０について出力値の平均をとり、ノイズの影響を軽減して各受光素子９０の黒基準値を得る。
【００６７】
又、読取制御部１０は、各ランプ８（左ランプ８Ｌと右ランプ８Ｒ）を点灯させ、真っ白な白基準板７を読み取ったときのイメージセンサー９の各受光素子９０の出力値（出力電圧値）を各受光素子９０の白基準値として基準値保持部１７ｂに記憶させる。言い換えると、基準値保持部１７ｂは、各ランプ８を点灯させて白基準板７を読み取ったときの各受光素子９０からのアナログ出力電圧をＡ／Ｄ変換部１７ａが変換したディジタル値を取得し、各受光素子９０の白基準値として記憶する。具体的には、基準値保持部１７ｂは、白基準板７の読取時の各受光素子９０の出力値を数ライン分取得し、各受光素子９０について出力値の平均をとり、ノイズの影響を軽減して各受光素子９０の白基準値を得る。
【００６８】
そして、処理部１７の基準値保持部１７ｂは、読取部６の各イメージセンサー９の各受光素子９０について白基準値と黒基準値を補正部１７ｃに与える。そして、補正部１７ｃは、各受光素子９０（各受光素子９０）について、白基準値と黒基準値の間を、予め定められたステップ数（階調数、例えば、８ビット２５６階調）で刻み、各受光素子９０（各受光素子９０）からの出力値の大きさに応じて、階調化を行う。例えば、処理部１７が白黒の画像データを出力する場合、１つの受光素子９０の出力値を８ビット（２５６階調）で出力し、各受光素子９０（画素）の値が濃度を示す値となる。カラーの場合、処理部１７は、ＲＧＢで１つの受光素子９０の出力値を計２４ビットに階調化を行う（例えば、Ｒｅｄ＝８ビット、Ｇｒｅｅｎ＝８ビット、Ｂｌｕｅ＝８ビット、それぞれ０〜２５５の値を取り、２５６階調）。尚、処理部１７に入力される各受光素子９０からの出力値が白基準値と黒基準値の間に収まらなければ、例えば、階調での最高値（真っ白、例えば、２５６階調ならば２５５）又は最小値（真っ黒、例えば、０）と同値とされる。これにより、原稿の画像データが得られる。
【００６９】
又、補正部１７ｃは、γ補正や、各ランプ８の光量分布のムラや、各受光素子９０の個体差など、受光素子９０の位置に依存する歪みの補正等、各種の補正を画像データに対して施すようにしても良い。
【００７０】
そして、補正部１７ｃが処理した画像データは、画像メモリー１７ｄに格納される。画像メモリー１７ｄは、例えば、原稿のページ単位又は原稿のページを複数に分割した短冊上のブロック単位（バンド単位）で本体側の記憶部５２（例えば、ＲＡＭ）に画像データを出力する。
【００７１】
記憶部５２に格納された画像データは、本体の画像処理部５４に入力される。本実施形態の画像処理部５４は、画像データに関する演算や作業領域としてのワークＲＡＭや専用回路としてのＡＳＩＣ等を組み合わせて構成される回路である。尚、主制御部５のＣＰＵ５１や記憶部５２に画像処理プログラムを格納してソフトウェア的に画像処理部５４を実現することもできる。
【００７２】
画像処理部５４は、濃度変換処理や、拡大縮小処理、画像データのデータ形式（ファイル形式）変換処理等、各種画像処理を行うことができる。しかし、実行可能な画像処理は多岐にわたるので、本説明では、画像処理部５４は、公知の画像処理を行えるものとして、画像処理部５４が実行可能な画像処理の詳細な説明は割愛する。
【００７３】
そして、画像処理部５４が画像処理を施した後の画像データは、例えば、画像形成部４ａの露光装置４３に送られ、各感光体ドラム４１の走査・露光に用いられる。これにより、原稿に基づき印刷を行うことができる（コピー機能）。又、例えば、画像処理部５４が画像処理を施した後の画像データを記憶部５２に送り、記憶部５２に記憶させておくこともできる（スキャナ機能）。あるいは、画像処理部５４が画像処理を施した後の画像データを、Ｉ／Ｆ部５３を介し、外部のコンピューター２００やＦＡＸ装置３００に送信することもできる（送信機能）。
【００７４】
尚、操作パネル２は、複合機１０１に含まれる画像読取装置１００に関する情報を表示して報知することができる。そのため、操作パネル２は、複合機１０１だけでなく、画像読取装置１００の報知部としても機能する。
【００７５】
（読取部６）
次に、図５に基づき、第１の実施形態に係る読取部６を説明する。図５（ａ）は読取部６の断面図であり、図５（ｂ）はイメージセンサー９の構造の一例を示す説明図である。
【００７６】
まず、読取部６には断面略Ｕ字状の筐体６１が設けられる。筐体６１は、図５（ａ）の紙面垂直方向を長手方向とし、函状である。筐体６１の長手方向が読取部６の主走査方向である。筐体６１の上面には、筐体６１の上面の開口を閉じるように板状のガラス６２が取り付けられる。
【００７７】
筐体６１の内部下面には、図５（ａ）の紙面垂直方向（主走査方向）にのびるイメージセンサー９が設けられる。イメージセンサー９は、複数の受光素子９０（光電変換素子）を主走査方向に沿って配列したラインセンサーである。本実施形態の読取部６では、Ａ３サイズの用紙を読み取れるように、イメージセンサー９は、Ａ３サイズの用紙の短辺よりも長い。
【００７８】
ここで、図５（ｂ）を用いて、イメージセンサー９の構造の一例を説明する。イメージセンサー９は、複数の受光素子９０が列状に配列されたラインセンサーを含む。イメージセンサー９は、カラー読取対応の場合、複数本のラインセンサーを含む。各受光素子９０の数やサイズは読み取り解像度による。そして、例えば、各受光素子９０に対し、読み出しレジスタ９１が設けられる。読み出しレジスタ９１は一定のクロックで各受光素子９０の出力を順番に外部に出力する。
【００７９】
イメージセンサー９の上方には、レンズとしてロッドレンズアレイ６３が設けられる。ロッドレンズアレイ６３は、複数本のロッドレンズ６３ａを主走査方向に複数本並べたものであり、原稿の反射光をイメージセンサー９に導く。
【００８０】
そして、ロッドレンズアレイ６３の両側に、導光体８１がそれぞれ設けられる。図５（ａ）に破線で示すように、各導光体８１に対し、筐体６１の紙面垂直方向の手前側と奥側の端部に光源８０が設けられる（手前側の光源８０は不可視）。従って、読取部６の導光体８１の長手方向の両端部にそれぞれ２つずつ光源８０が設けられる（計４つ）（図○○参照）。ここで、本実施形態では、各光源８０は、ＬＥＤである。
【００８１】
そして、１本のランプ８は、１本の導光体８１と、導光体８１の両端の光源８０を含む。そして、ランプ８は、主走査方向からみて、イメージセンサーの左側（左ランプ８Ｌ）と右側（右ランプ８Ｒ）が設けられる。
【００８２】
導光体８１は、光源８０が発する光を導光体８１の長手方向（主走査方向）に導く。又、導光体８１は、図５（ａ）に２点鎖線矢印で示すように、読取部６の長手方向（主走査方向）の各位置でほぼ均一な光量レベルとなるように、ロッドレンズアレイ６３の上方（ガラス６２の上方）に向けて、光を放つ。ロッドレンズアレイ６３に含まれる各ロッドレンズ６３ａは、読取対象（例えば、原稿や白基準板７）で反射された光を集光しつつイメージセンサー９に導く（反射光の光の方向の一例を矢印付２点差線で示す）。
【００８３】
（白基準板７）
次に、図６を用いて、第１の実施形態に係る白基準板７の一例を説明する。図６は、白基準板７の一例を示す説明図である。
【００８４】
本実施形態の画像読取装置１００では、白基準板７は、ガイド部材１６の下方に設けられる。そして、図６に示すように、本実施形態の白基準板７は、従来の白基準板７と異なり、凸部７１を有する。又、図６の上の図は、白基準板７を下方から見た図である。図６の下方の図は、上方の図のＡ−Ａ’ラインでの断面図である。
【００８５】
白基準板７の主走査方向での長さは、イメージセンサー９の主走査方向の長さと同等若しくは少し長い。そして、主走査方向（長手方向）の一方の端部から他方の端部まで、凸部７１が白基準板７に設けられる。この凸部７１により、主走査方向から見て、２つの段差７２ができる（以下では、左段差７２Ｌを「左段差７２Ｌ」と称し、右段差７２Ｒを「右段差７２Ｒ」と称する）。
【００８６】
（各ランプ８の光量調整の流れ）
次に、図７〜図１３を用いて、第１の実施形態に係る画像読取装置１００での各ランプ８の光量調整の流れの一例を説明する。図７は、各ランプ８の光量調整の流れの一例を示すフローチャートである。図８は、左調整位置の一例を示す説明図である。図９は、右調整位置の一例を示す説明図である。図１０は、光量調整テーブルＴ１の一例を示す説明図である。図１１は、ランプ８（光源８０）の異常報知画面Ｓ１の一例である。図１２は、白基準板７の読取位置の一例を示す説明図である。図１３は、光源８０の光量調整後の全体的な光量調整の概念を説明するための説明図である。
【００８７】
本実施形態の画像読取装置１００では、読取部６に左ランプ８Ｌと右ランプ８Ｒの２本のランプ８が設けられる。そして、２本のランプ８の光量に差が有れば、原稿のシワや折り目に２本のランプ８が均等に光を当てることができず、読み取り結果としての画像データにシワや折り目が現れてしまう。そこで、本実施形態の画像読取装置１００、複合機１０１では、段差７２の有る白基準板７を読み取ることで、各ランプ８（左ランプ８Ｌと右ランプ８Ｒ）の光量が均一となるように調整することができる。
【００８８】
ここで、各ランプ８の光量の均一とするための調整（光量調整）は、例えば、複合機１０１の工場出荷時や、複合機１０１設置後のメンテナンスの時に行われる。あるいは、使用者が任意の時点で光量均一化の調整を行えるようにしてもよい。
【００８９】
各ランプ８（左ランプ８Ｌと右ランプ８Ｒ）の光量調整を行うには、操作パネル２を操作して、各ランプ８の光量調整の実行を指示する。これにより、各ランプ８の光量調整が開始される。この各ランプ８の光量調整の開始時点が図７のスタートとなる。
【００９０】
各ランプ８の光量調整が開始されると、読取制御部１０は、記憶部１０ａから各光源８０の光量を示すデータ（光量データ）を読み出す（ステップ♯１）。本実施形態では、ＰＷＭにより、各光源８０（ＬＥＤ）の光量を調整するので、各光量データは、ＰＷＭ信号の周波数（周波数固定の場合は不要）や、デューティ比となる。尚、初めて光量調整を行うときや、光量調整が行われてもデフォルト値からの変更がない場合、各光源８０に対する光量データは、予め定められたデフォルトの値である。２回目以降の光量調整では、光量が変えられた光源８０については前回の調整で設定された（補正された）光量データとなる。
【００９１】
次に、読取制御部１０は、巻取モータ１４を制御して、読取部６を左調整位置に移動させる（ステップ♯２）。左調整位置は、イメージセンサー９が読み取るライン（読取ライン）が、白基準板７の左段差７２Ｌよりも左側の位置となる位置である。そして、読取制御部１０は、記憶部１０ａから読み出した光量データに基づき各光源８０を発光制御部１０ｂに点灯させ、読取部６のイメージセンサー９に左調整位置で読み取りを行わせる（ステップ♯３）。
【００９２】
ここで、図８を用いて、左調整位置での読み取りを説明する。図８に示すように、イメージセンサー９の読取ラインが段差７２Ｌよりも左外側となると（左調整位置となると）、右ランプ８Ｒから放たれる光は、白基準板７の凸部７１に当たって反射される。そのため、右ランプ８Ｒから放たれる光は、イメージセンサー９に到達し難くなる。そして、イメージセンサー９が受光する光は、左ランプ８Ｌから放たれる光が支配的となる（破線で放たれる光の一例を図示）。
【００９３】
そして、読取制御部１０は、左調整位置での読み取りにおけるイメージセンサー９の各受光素子９０のアナログ出力電圧をＡ／Ｄ変換部１７ａにディジタル値に変換させる（ステップ♯４）。そして、読取制御部１０は、ディジタル値となった各受光素子９０の出力値に基づき、左調整位置での濃度値を定める（ステップ♯５）。
【００９４】
ここで、読取制御部１０は、複数の受光素子９０のうち、予め定められた位置の何れか１つの受光素子９０の出力値を左調整位置での濃度を示す濃度値と定めても良い。あるいは、読取制御部１０は、イメージセンサー９の各受光素子９０のうち、予め定められた位置の複数の受光素子９０の出力値の平均値を左調整位置での濃度を示す濃度値と定めてもよい。ここで出力値の平均を取る場合、読取制御部１０は、主走査方向１ライン分の全受光素子９０の出力値の平均を求めて濃度値と定めても良いし、例えば、主走査方向の中央位置の複数個（例えば、１個から１０個程度）の受光素子９０の出力値の平均値を求めて濃度値を定めて良い。
【００９５】
次に、読取制御部１０は、巻取モータ１４を制御して、読取部６を右調整位置に移動させる（ステップ♯６）。右調整位置は、イメージセンサー９が読み取るライン（読取ライン）が白基準板７の右段差７２Ｒよりも右側の位置となる位置である。そして、読取制御部１０は、記憶部１０ａから読み出した光量を示すデータに基づき各光源８０を点灯させ、読取部６のイメージセンサー９に右調整位置で読み取りを行わせる（ステップ♯７）。
【００９６】
図８と同様に、図９を用いて、右調整位置での読み取りを説明する。図９に示すように、イメージセンサー９の読取ラインが段差７２Ｒよりも右外側となると（右調整位置となると）、左ランプ８Ｌから放たれる光は、白基準板７の凸部７１に当たって反射される。そのため、左ランプ８Ｌから放たれる光はイメージセンサー９に到達し難くなる。そして、イメージセンサー９が受光する光は、右ランプ８Ｒから放たれる光が支配的となる（破線で放たれる光の一例を図示）。
【００９７】
そして、読取制御部１０は、右調整位置での読み取りにおけるイメージセンサー９の各受光素子９０（各受光素子９０）のアナログ出力電圧をＡ／Ｄ変換部１７ａにディジタル値に変換させる（ステップ♯８）。そして、そして、読取制御部１０は、ディジタル値となった各受光素子９０の出力値に基づき、右調整位置での濃度値を定める（ステップ♯９）。
【００９８】
ここで、読取制御部１０は、左調整位置での濃度値と同じ方法で右調整位置での濃度値を定める。予め定められた位置の何れか１つの受光素子９０の出力値を左調整位置での濃度を示す濃度値と定めた場合、読取制御部１０は、右調整位置での読み取りに応じて、左調整位置のときと同じ位置（予め定められた位置）の１つの受光素子９０の出力値を右調整位置での濃度値と定める。
【００９９】
あるいは、予め定められた位置の複数の受光素子９０の出力値の平均値を左調整位置での濃度を示す濃度値と定めた場合、読取制御部１０は、右調整位置での読み取りに応じて、左調整位置のときと同じ位置（予め定められた位置）の複数の受光素子９０の出力値の平均値を右調整位置での濃度値と定める。これにより、比較される左調整位置の濃度値と右調整位置の濃度値が同様の基準、手法で求められる。
【０１００】
そして、読取制御部１０は、濃度値を比較し、濃度値の差を認識する（ステップ♯１０）。具体的に、受光素子９０は受光量が多いほど、蓄積する電荷の量が増えるので、各受光素子９０の出力値は大きくなる。一方、受光量が少ないほど出力値は小さくなる。従って、読取制御部１０は、左調整位置の濃度値と右調整位置の濃度値の大小により、いずれのランプ８の方が暗いか、明るいかを認識することができる。又、左調整位置と右調整位置の濃度値の差により、光量の差も認識することができる。
【０１０１】
ここで、同じ基準に基づき濃度値の比較を行うために、読取制御部１０は、巻取モータ１４を制御して、左段差７２Ｌから左調整位置の読取ラインまでの距離ｄ１と、右段差７２Ｒから右調整位置の読取ラインまでの距離ｄ２とを同じ距離（距離ｄ１＝距離ｄ２）として、読取部６を左調整位置及び右調整位置に移動させてもよい（図８、図９参照）。
【０１０２】
又、読取制御部１０は、白基準板７の凸部７１によって、一方のランプ８の光が確実に遮られるように、副走査方向において、左段差７２Ｌから左調整位置の読取ラインまでの距離ｄ１と、右段差７２Ｒから右調整位置の読取ラインまでの距離ｄ２が、副走査方向からみて読取ラインとランプ８の間の距離ｄ３よりも短くなるように（距離ｄ１＜距離ｄ３、距離ｄ２＜距離ｄ３）、読取部６を左調整位置及び右調整位置に移動させてもよい（図８、図９参照）。
【０１０３】
次に、読取制御部１０は、左調整位置と右調整位置の濃度値の差に基づき、光量の調整量を定め、暗い方のランプ８の光源８０の光量データを補正し、補正後のデータを記憶部１０ａに記憶させる（ステップ♯１１）。
【０１０４】
具体的には、読取制御部１０は、暗い方のランプ８の光源８０の光量を増やすように補正する。増やす光量については、読取制御部１０は、濃度値の差に基づき、光量を増やす光源８０のデューティ比をどれだけ増やすかを定める（調整量を定める）。例えば、図１０に示すように、記憶部１０ａに、濃度値の差に対して増やすデューティ比を定めた光量調整テーブルＴ１を記憶させておく。そして、読取制御部１０は、光量調整テーブルＴ１を参照し、左調整位置と右調整位置の濃度値の差に応じて、光量を増やす光源８０で増加させるＰＷＭ信号のデューティ比を光源８０の調整量として定める。
【０１０５】
尚、濃度値の差がない場合、あるいは、差があっても許容でき、微少な差といえる場合もある。そこで、光量調整テーブルＴ１には、濃度値の差があっても、光量データを補正しない場合も定義される。言い換えると、左調整位置と右調整位置の濃度値の差が予め定められた許容差に収まるとき、読取制御部１０は、光源８０の光量を示すデータの補正を行わない。
【０１０６】
次に、読取制御部１０は、ランプ８の故障検知を行う（ステップ♯１２）。この故障検知は、光源８０の光量を増やしたときに行われる。具体的には、補正後の光量データを用い、光量が均等になるように調整した状態で、ステップ♯２からステップ♯１０を行う。そして、読取制御部１０は、光量データの補正前の右調整位置と左調整位置の濃度値の差と、光量補正後の右調整位置と左調整位置の濃度値の差と、を比較し濃度値の差が小さくなっているか否かを確認する。あるいは、読取制御部１０は、巻取モータ１４に光量を増やしたランプ８の光が支配的となる位置に読取部６を移動させ、補正前と補正後の濃度値を比較して、光量が増加したかを確認してもよい。
【０１０７】
もし、光量調整したにもかかわらず（光量データを補正したにもかかわらず）、光量を増やしたはずのランプ８の光量が増えていなければ、読取制御部１０は、ランプ８の光源８０の故障と検知する。一方、光量調整に応じて（光量データの補正に応じて）、光量を増やしたランプ８（光源８０）の光量の増加が認められれば、読取制御部１０は、ランプ８の光源８０に故障はないと認識する。
【０１０８】
ここで、もし、読取制御部１０がランプ８（光源８０）の故障を検知したとき、読取制御部１０は、ランプ８（光源８０）の異常を報知させる。具体的には、読取制御部１０は、図１１に示すように、ランプ８（光源８０）の異常を報知するための異常報知画面Ｓ１を表示させる。例えば、図１１に示すように、読取制御部１０は、読取部６のランプ８に異常がある旨や交換や点検の必要性を表示して、操作パネル２に報知を行わせる。
【０１０９】
次に、読取制御部１０は、巻取モータ１４を制御して、読取部６を白基準板７の凸部７１を読み取る位置（読取ラインが段差７２Ｌと段差７２Ｒの間となる位置）に移動させる（ステップ♯１３）。そして、読取制御部１０は、光量調整後（光量データの補正後）の光量で、左ランプ８Ｌと右ランプ８Ｒの各光源８０を点灯させて、読取部６のイメージセンサー９に読み取りを行わせる（ステップ♯１４）。
【０１１０】
ここで、読取部６の移動を説明する。例えば、画像読取部１内には、読取部６が基準位置（ホームポジション）であるか否かを検知するための基準位置センサー１８が設けられる（図４参照）。基準位置センサー１８は例えば、光センサーであり、基準位置センサー１８の出力は、読取制御部１０に入力される。例えば、読取部６の基準位置は、白基準板７の下方とされる。
【０１１１】
読取制御部１０は、基準位置センサー１８の出力に基づき、読取部６が基準位置に有るか否かを認識する。原稿の読み取りが完了すれば、読取部６は、巻取モータ１４を制御して、読取部６の位置を基準位置に待避させる。そして、記憶部１０ａには、基準位置から左調整位置まで、基準位置から右調整位置まで、基準位置から白基準板７の段差７２Ｌと段差７２Ｒの間を読み取る位置までの巻取モータ１４の回転量を示すデータ（例えば、モーターに入力すべきパルス数）が記憶される。これにより、読取制御部１０は、巻取モータ１４を制御して右調整位置や、左調整位置や、白基準板７の段差７２Ｌと段差７２Ｒの間を読み取る位置に正確に読取部６を移動させることができる。
【０１１２】
そして、読取制御部１０は、白基準板７の凸部７１での読み取りにおけるイメージセンサー９の各受光素子９０のアナログ出力電圧をＡ／Ｄ変換部１７ａにディジタル値に変換させる（ステップ♯１５）。そして、読取制御部１０は、イメージセンサー９の各受光素子９０のうち、主走査方向で予め定められた位置の１つの受光素子９０の出力値、又は、複数の受光素子９０の出力値の平均値を参照値として定める（ステップ♯１６）。ここで、読取制御部１０は、主走査方向１ライン分の全受光素子９０の出力値の平均値を参照値と定めても良いし、例えば、主走査方向の中央位置の複数個（例えば、１個から１０個程度）の受光素子９０の出力値の平均値を求めて参照値と定めて良い。
【０１１３】
そして、読取制御部１０は、参照値に基づき、各ランプ８の合計の光量に対する最終的な光量調整を行う（ステップ♯１７）。
【０１１４】
一方のランプ８の光源８０の光量を高めると、左ランプ８Ｌの光量と右ランプ８Ｒの光量の均一化を図ることができる。しかし、均一化された左ランプ８Ｌと右ランプ８Ｒの合計の光量が適切とは限らない。合計の光量が多すぎると原稿を読み取ったとき、白飛びが発生することがある。又、合計の光量が少なすぎると、黒潰れが発生することがある。そこで、各ランプ８の光量調整では、光源８０の光量補正後の各ランプ８の合計の光量に対する最終的な光量調整を行う（ステップ♯１７）
【０１１５】
ここで、図１３を用いて、最終的な光量調整の一例を説明する。まず、読み取りを行う上で、白飛びや黒潰れが生じがたいときの参照値の範囲を示す許容範囲が予め定められる。許容範囲は、適切に読み取りを行えるときの参照値の範囲として、実験等によりに求められる。そして、許容範囲（各ランプ８の合計の光量の適切な範囲）を示すデータは、例えば、記憶部１０ａに記憶される。
【０１１６】
読取制御部１０は、記憶部１０ａから許容範囲を示すデータを読み出し、求めた参照値と比較する。図１３に示すように、求められた参照値が許容範囲を下回れば、全体的に光量が不足しているといえる。そこで、読取制御部１０は、各光源８０の光量が増えるように、全ての光源８０の光量を示すデータを補正する。一方、求められた参照値が許容範囲を上回れば、全体的に光量が過多の状態（多すぎる）といえる。そこで、読取制御部１０は、各光源８０の光量が減るように、全ての光源８０の光量を示すデータを補正する。
【０１１７】
１つの光源８０につき、増減させる光量については、読取制御部１０は、参照値と許容範囲の中央値（上限値や下限値でもよい）との差に基づき、各光源８０のデューティ比をどれだけ増減させるかを定める。例えば、記憶部１０ａに、参照値と許容範囲の中央値の差に対して、１つの光源８０あたりに増減させるデューティ比を定めたテーブルを記憶させておく。そして、読取制御部１０は、テーブルを参照して、各光源８０で均等にデューティ比を増減して補正し、補正後の各光源８０のデューティ比を、記憶部１０ａに記憶させる。
【０１１８】
白基準板７に段差７２を設ければ、一方のランプ８（左ランプ８Ｌ、右ランプ８Ｒ）の光を凸部７１で反射させ、イメージセンサー９に届かせないようにして読み取りを行うことが可能となる。そこで、本実施形態の画像読取装置１００（複合機１０１）は、主走査方向に複数の受光素子９０が並べられたイメージセンサー９と、主走査方向を長手方向としイメージセンサー９に対し副走査方向の左右両側にそれぞれ設けられ、それぞれが光源８０を有する２本のランプ８（左ランプ８Ｌ、右ランプ８Ｒ）と、を含み、原稿の読み取りのとき各光源８０を点灯させてイメージセンサー９により読み取りを行う読取部６と、読取部６を副走査方向で移動させる移動機構（巻取モータ１４、巻取ドラム１３、ワイヤ１２等）と、各ランプ８の光源８０の発光を制御する発光制御部１０ｂと、読取部６の移動経路上に設けられるとともに、読取部６の上方に設けられ、下向きの凸部７１を有し、段差７２が設けられた白基準板７と、イメージセンサー９の各受光素子９０の出力値に基づき、濃度を示す値である濃度値を定める濃度確認部（読取制御部１０）と、を含み、移動機構は、イメージセンサー９が左段差７２Ｌから白基準板７の左外側方向に離れた位置を読み取る左調整位置に読取部６を移動させるとともに、イメージセンサー９が右段差７２Ｒから白基準板７の右外側方向に離れた位置を読み取る右調整位置に読取部６を移動させ、読取部６は、左調整位置と右調整位置で読み取りを行い、濃度確認部は、左調整位置での読み取りで得られた濃度値と右調整位置での読み取りで得られた濃度値の差が無くなるように光源８０の光量の調整量を定め、発光制御部１０ｂは、調整量に基づき光源８０の光量を調整する。
【０１１９】
これにより、別途センサーを設置することなく、２つのランプ８（左ランプ８Ｌ、右ランプ８Ｒ）の光量の差（濃度値の差）を画像読取装置１００が本来備えるイメージセンサー９を用いて認識することができる。そして、発光制御部１０ｂは、濃度値の差が無くなるように光源８０の光量を調整する。従って、光量が等しくなるようにイメージセンサー９の両側のランプ８の光量が調整されるので、原稿のシワや折り目の部分の強調を低減し、読み取りでの画質を高めることができる。
【０１２０】
又、濃度確認部（読取制御部１０）は、左調整位置での読み取りの方が濃いと認識したとき、左側のランプ８（左ランプ８Ｌ、右ランプ８Ｒ）の光源８０の光量を上げるように調整量を定め、濃度確認部（読取制御部１０）が右調整位置での読み取りの方が濃いと認識したとき、右側のランプ８の光源８０の光量を上げるように調整量を定める。これにより、両側のランプ８（左ランプ８Ｌ、右ランプ８Ｒ）の合計の光量を確保しつつ、光量が等しくなるように、イメージセンサー９の両側のランプ８の光量を調整することができる。
【０１２１】
又、濃度確認部（読取制御部１０）は、左調整位置で読み取ったときの１つの受光素子９０の出力値又は複数の受光素子９０の出力値の平均値に基づき、左調整位置の濃度値を定め、右調整位置で読み取ったときの１つの受光素子９０の出力値又は複数の受光素子９０の出力値の平均値に基づき、右調整位置の濃度値を定める。これにより、１つの受光素子９０の出力値に基づき濃度値を定めれば、極めて簡易な処理で、各調整位置の濃度値と、その濃度値の差（光量の差）を求めることができる。あるいは、複数の受光素子９０の出力値の平均をとって濃度値を定めることで、各受光素子９０での読み取り特性での個体差、ばらつきを低減しつつ、濃度値の差（光量の差）を認識することができる。
【０１２２】
ランプ８（左ランプ８Ｌ、右ランプ８Ｒ）の合計の光量が多すぎると、原稿のうち一定以上明るい部分がほぼ白で読み取られてしまうことがある（白飛び）。又、各ランプ８の合計の光量が少なすぎると、原稿のうち一定以上暗い部分がほぼ黒として読み取られてしまうことがある（黒潰れ）。そこで、移動機構（巻取モータ１４、巻取ドラム１３、ワイヤ１２等）は、いずれかの光源８０の光量を上げる調整がなされたとき、凸部７１を読み取る位置となるように読取部６を移動させ、発光制御部１０ｂは、調整後の光量で各光源８０を発光させ、読取部６は、白基準板７の凸部７１の読み取りを行い、濃度確認部（読取制御部１０）は、凸部７１を読み取ったときの１つの受光素子９０の出力値、又は、複数の受光素子９０の出力値の平均値に基づき参照値を定め、参照値が予め定められた許容範囲に収まっていないとき、許容範囲に収まるように、一部又は全ての光源８０の光量を減らす又は増やす。これにより、光量調整の結果、各ランプ８の合計の光量が多くなりすぎることや、少なすぎることを防ぐことができる。ここで、「許容範囲」は、任意に定めることができ、原稿の読み取りを行う上で、白飛びや黒潰れの発生を回避できるように実験等により予め定められる適切で好適な参照値の範囲である。
【０１２３】
光量を増やしても、増加が認められないとき、ランプ８（左ランプ８Ｌ、右ランプ８Ｒ）が故障していると考えられる。そこで、本実施形態の画像読取装置１００は、メッセージの報知を行う報知部（操作パネル２）を含み、報知部は、光源８０の光量を増やす調整が行われても、濃度確認部（読取制御部１０）が左調整位置と右調整位置で読み取りでの濃度値に基づき、光量が増加していると認められないとき、ランプ８の異常を報知する。これにより、各ランプ８（左ランプ８Ｌ、右ランプ８Ｒ）の故障を検知することができるとともに、故障を使用者に報知することができる。
【０１２４】
又、移動機構（巻取モータ１４、巻取ドラム１３、ワイヤ１２等）は、左段差７２Ｌから左調整位置でのイメージセンサー９が読み取りを行う読取ラインまでの距離ｄ１と、右段差７２Ｒから右調整位置でのイメージセンサー９が読み取りを行う読取ラインまでの距離ｄ２とを同じ距離（距離ｄ１＝距離ｄ）として、読取部６を左調整位置及び右調整位置に移動させる。これにより、左調整位置での読取ラインと段差７２の位置関係と、右調整位置の読取ラインと段差７２の位置関係を同様の条件にすることができる。これにより、同じ条件で左調整位置と右調整位置の濃度値を比較することができ、各ランプ８（左ランプ８Ｌ、右ランプ８Ｒ）の光量をより正確に均等とすることができる。
【０１２５】
又、移動機構（巻取モータ１４、巻取ドラム１３、ワイヤ１２等）は、副走査方向において、左段差７２Ｌから左調整位置でのイメージセンサー９が読み取りを行う読取ラインまでの距離ｄ１、及び、右段差７２Ｒから右調整位置でのイメージセンサー９が読み取りを行う読取ラインまでの距離ｄ２が、副走査方向からみて読取ラインとランプ８（左ランプ８Ｌ、右ランプ８Ｒ）の間の距離ｄ３よりも短くなるように（距離ｄ１＜距離ｄ３、距離ｄ２＜距離ｄ３）、読取部６を左調整位置及び右調整位置に移動させる（図８、図９参照）。これにより、一方のランプ８（左ランプ８Ｌ又は右ランプ８Ｒ）からの光が確実に段差７２によって遮られるようにすることができる。従って、各ランプ８の光量の差（濃度値の差）の有無を確実に認識することができる。
【０１２６】
又、発光制御部１０ｂは、光源８０に印加する電圧又は供給する電流のデューティ比を変化させて各光源８０の光量を調整する。これにより、ランプ８（左ランプ８Ｌ、右ランプ８Ｒ）の光源８０の光量を調整することができる。
【０１２７】
又、本実施形態の画像読取装置１００は、左調整位置の濃度値と右調整位置の濃度値の差に応じて、光源８０の光量の調整量を定めた光量調整テーブルＴを記憶する記憶部１０ａを含む。これにより、光量調整テーブルＴを参照することで、濃度値の差に基づき、光源８０の光量を調整するための調整量を迅速、簡易に決定することができる。
【０１２８】
又、本実施形態の画像形成装置（複合機１０１）は、画像読取装置１００を含む。これにより、画像形成装置（複合機１０１）の画像読取装置１００では、光量が等しくなるように、イメージセンサー９の両側のランプ８（左ランプ８Ｌ、右ランプ８Ｒ）の光量が調整され、原稿のシワや折り目の部分の強調を低減し、読み取りでの画質を高めた画像データを得ることができる。従って、高画質の画像データに基づき、高画質の印刷を行う画像形成装置（複合機１０１）を提供することができる。
【０１２９】
（第２の実施形態）
次に、図１４を用いて第２の実施形態を説明する。図１４は、第２の実施形態での濃度値の定め方を説明するための説明図である。
【０１３０】
本実施形態では、複数の左調整位置と複数の右調整位置が設定される点で第１の実施形態と異なる。又、複数の左調整位置の各位置での読み取り結果と、複数の右調整位置の各位置での読み取り結果を用いて、左調整位置の濃度値と右調整位置の濃度値を求める点で異なる。その他の点では、第１の実施形態と同様でよく、共通する部分については、援用するものとして、図示、説明を省略する。
【０１３１】
具体的に、本実施形態では、左調整位置が複数個設定される。このとき、読取制御部１０は、巻取モータ１４を制御して、各左調整位置に移動させる。読取部６は、複数の左調整位置で読み取りを行う。読取制御部１０は、この読み取りで得られた複数ライン分について、複数ラインを跨ぐように予め定められるブロック内の各受光素子９０の出力値の平均値を左調整位置での濃度値とする。
【０１３２】
例えば、左調整位置が３箇所設定されるとする。そして、図１４に示すように、３ライン分のイメージセンサー９の各受光素子９０の出力値が得られる。そして、左調整位置での濃度値を定めるため、読取制御部１０は、隣接するラインに跨って、例えば、３×３のブロック（図１４において網掛けで図示）の各受光素子９０の出力値の平均値を濃度値と定める。
【０１３３】
同様に、本実施形態では、右調整位置も複数個設定される。このとき、読取制御部１０は、巻取モータ１４を制御して、各右調整位置に移動させる。例えば、右調整位置の個数は、左調整位置と同様とする。又、各右調整位置での読取ラインの段差７２（右段差７２Ｒ）からの距離ｄ２も、各左調整位置での読取ラインの段差７２（左段差７３Ｒ）から距離ｄ１と等しくしても良い。そして、読取部６は、複数の右調整位置で読み取りを行う。読取制御部１０は、この読み取りで得られた複数ライン分について、複数ラインを跨ぐように予め定められるブロック内の各受光素子９０の出力値（ディジタル）の平均値を右調整位置での濃度値とする。
【０１３４】
例えば、左調整位置と同様に、右調整位置が３箇所設定される。そして、図１４に示すように、３ライン分のイメージセンサー９の各受光素子９０の出力値が得られる。そして、右調整位置での濃度値を定めるため、読取制御部１０は、隣接するラインに跨って、左調整位置の時と同様に、例えば、３×３のブロック（図１４において網掛けで図示）の各受光素子９０の出力値の平均値を濃度値と定める。
【０１３５】
そして、左調整位置での濃度値と右調整位置での濃度値を比較して、濃度値の差が無くなるように、読取制御部１０は、光量の調整量を定め、光量データを補正し、暗い方のランプ８の光源８０の光量を増やす。光量調整の流れ自体は、図７を用いて説明した第１の実施形態の場合と同様でよい。
【０１３６】
このようにして、本実施形態の画像読取装置１００では、移動機構（巻取モータ１４、巻取ドラム１３、ワイヤ１２等）は、複数の異なる左調整位置に読取部６を移動させるとともに、複数の異なる右調整位置に読取部６を移動させ、読取部６は、それぞれの左調整位置と右調整位置で読み取りを行い、濃度確認部（読取制御部１０）は、それぞれの左調整位置で読み取られた複数ラインについて、主走査方向と副走査方向で予め定められた個数の受光素子９０のブロックに含まれる複数の受光素子９０の出力値の平均値に基づき左調整位置の濃度値を定め、それぞれの右調整位置で読み取られた複数ラインについて、主走査方向と副走査方向で予め定められた個数の受光素子９０のブロックに含まれる複数の受光素子９０の出力値の平均値に基づき右調整位置の濃度値を定め、各濃度値の差が無くなるように光源８０の光量の調整量を定める。これにより、ブロックに含まれる複数の受光素子９０の平均をとることで、各受光素子９０の読み取り特性に関する個体差、ばらつきを低減しつつ、濃度値の差（光量の差）を認識することができる。
【０１３７】
（第３の実施形態）
次に、図１５を用いて第３の実施形態を説明する。図１５は、第３の実施形態での読取部６を上方からみた模式図である。
【０１３８】
本実施形態では、４つの光源８０の内、主走査方向（画像読取装置１００、複合機１０１の正面からみて）の手前側の光源８０については、手前側の左ランプ８Ｌと右ランプ８Ｒの光源８０の組み合わせで光量を調整し、奥側の光源８０については奥側の左ランプ８Ｌと右ランプ８Ｒの光源８０の組み合わせで光量を調整する点で異なる。その他の点では、第１、第２の実施形態と同様でよく、共通する部分については、援用するものとして、図示、説明を省略する。
【０１３９】
本実施形態の読取部６では、図１５に示すように、第１、第２の実施形態と同様、左ランプ８Ｌの導光体８１の両端に光源８０（ＬＥＤ）が設けられ、右ランプ８Ｒの導光体８１の両端にも光源８０（ＬＥＤ）が設けられる。
【０１４０】
このとき、導光体８１の手前側から放たれる光は、手前側の光源８０から放たれる光の成分が多くなる傾向を示すことがある。一方、導光体８１の奥側から放たれる光は、奥側の光源８０から放たれる光の成分が多くなる傾向を示すことがある。そこで、手前側については、左ランプ８Ｌの手前側の光源８０と右ランプ８Ｒの手前側の光源８０と組み合わせで、光源８０の光量調整を行うようにする。又、左ランプ８Ｌの奥側の光源８０と右ランプ８Ｒの奥側の光源８０との組み合わせで、光源８０の光量調整を行うようにする。
【０１４１】
具体的に、手前側の左ランプ８Ｌの光源８０と右ランプ８Ｒの光源８０の組み合わせと、奥側の手前側の左ランプ８Ｌの光源８０と右ランプ８Ｒの光源８０の組み合わせでの光量調整を説明する。尚、光量調整の流れ自体は、図７を用いて説明した第１の実施形態の場合と同様でよい。
【０１４２】
まず、読取制御部１０は、巻取モータ１４を制御し、読取部６を左調整位置とする。そして、読取制御部１０は、イメージセンサー９に読み取りを行わせる。ここで、手前側の左ランプ８Ｌの光源８０に関する濃度値を求めるため、読取制御部１０は、ランプ８の中央よりも手前側に位置するイメージセンサー９の１つの受光素子９０の出力値、又は、複数の受光素子９０の出力値の平均値を左調整位置の手前側の濃度値と定める。又、奥側の左ランプ８Ｌの光源８０に関する濃度値を求めるため、読取制御部１０は、ランプ８の中央よりも奥側に位置するイメージセンサー９の１つの受光素子９０の出力値、又は、複数の受光素子９０の出力値の平均値を左調整位置の濃度値と定める。
【０１４３】
次に、読取制御部１０は、巻取モータ１４を制御し、読取部６を右調整位置とする。そして、読取制御部１０は、イメージセンサー９に読み取りを行わせる。ここで、手前側の右ランプ８Ｒの光源８０に関する濃度値を求めるため、読取制御部１０は、ランプ８の中央よりも手前側に位置するイメージセンサー９の１つの受光素子９０の出力値、又は、複数の受光素子９０の出力値の平均値を右調整位置の手前側の濃度値と定める。又、奥側の右ランプ８Ｒの光源８０に関する濃度値を求めるため、読取制御部１０は、ランプ８の中央よりも奥側に位置するイメージセンサー９の１つの受光素子９０の出力値、又は、複数の受光素子９０の出力値の平均値を右調整位置の濃度値と定める。
【０１４４】
このように、本実施形態では、第１、第２の実施形態と異なり、読取制御部１０は、４種類の濃度値を求める。尚、濃度値を求めるうえで対象とする受光素子９０は、左調整位置と右調整位置とで同じ位置の受光素子９０とする。
【０１４５】
そして、読取制御部１０は、手前側の左調整位置での濃度値と右調整位置での濃度値を比較する。そして、読取制御部１０は、第１の実施形態と同様に濃度値の差と、記憶部１０ａに記憶された光量調整テーブルＴ１を用いて、暗い方（濃い方）の濃度値のランプ８の手前側の光源８０の光量が増えるように調整量を定める。そして、読取制御部１０は、暗い方のランプ８の手前側の光源８０の光量データを補正する。このように、手前側の光源８０については、手前側の光源８０の組み合わせで、濃度値の差の解消を図る。
【０１４６】
又、読取制御部１０は、手前側と同様に、奥側でも、奥側の左調整位置での濃度値と右調整位置での濃度値を比較する。そして、読取制御部１０は、第１の実施形態と同様に濃度値の差と、記憶部１０ａに記憶された光量調整テーブルＴ１を用いて、暗い方（濃い方）の濃度値のランプ８の奥側の光源８０の光量が増えるように調整量を定める。そして、読取制御部１０は、暗い方のランプ８の奥側の光源８０の光量データを補正する。このように、奥側の光源８０については、奥側の光源８０の組み合わせで、濃度値の差の解消を図る。
【０１４７】
主走査方向で光を放射する導光体８１の両端に光源８０が設けられるランプ８（左ランプ８Ｌ、右ランプ８Ｒ）では、主走査方向からみて手前側では、手前側に設けられた光源８０からの光がより多く放射され（手前側に設けられた光源８０の影響が強い）、主走査方向からみて奥側では、奥側に設けられた光源８０からの光がより多く放射される（奥側に設けられた光源８０の影響が強い）。そこで、本実施形態の画像読取装置１００は、各ランプ８（左ランプ８Ｌ、右ランプ８Ｒ）は、棒状の導光体８１と、導光体８１の両端に２つの光源８０を含み、濃度確認部（読取制御部１０）は、主走査方向から見て手前側の２つの光源８０については、左調整位置で読み取ったときのランプ８の中央よりも手前側に位置する１つの受光素子９０の出力値、又は、複数の受光素子９０の出力値の平均値に基づき左調整位置での濃度値を定め、右調整位置で読み取ったときのランプ８の中央よりも手前側に位置する１つの受光素子９０の出力値、又は、複数の受光素子９０の出力値の平均値に基づき右調整位置での濃度値を定め、各濃度値の差が無くなるように手前側の光源８０の光量の調整量を定め、主走査方向から見て奥側の光源８０については、左調整位置で読み取ったときのランプ８の中央よりも奥側に位置する１つの受光素子９０の出力値、又は、複数の受光素子９０の出力値の平均値に基づき左調整位置での濃度値を定め、右調整位置で読み取ったときのランプ８の中央よりも手前側に位置する１つの受光素子９０の出力値、又は、複数の受光素子９０の出力値の平均値に基づき右調整位置での濃度値を定め、各濃度値の差が無くなるように奥側の光源８０の光量の調整量を定める。これにより、ランプ８（左ランプ８Ｌ、右ランプ８Ｒ）の両端に設けられた各光源８０の光量を、手前側と奥側のそれぞれの光源８０の組み合わせでランプ８（左ランプ８Ｌ、右ランプ８Ｒ）の端部に設けられた各光源８０の光量を適切に調整することができる。
【０１４８】
（第４の実施形態）
次に、図１６を用いて第４の実施形態を説明する。図１６は、第４の実施形態での読取部６を上方からみた模式図である。
【０１４９】
本実施形態では、図４に示すように、導光体８１に対して１つの光源８０が設けられる。言い換えると、本実施形態の読取部６の左ランプ８Ｌと右ランプ８Ｒは、光源８０をそれぞれ１つ含む。従って、本実施形態の読取部６は、光源８０は計２つである。光源８０の個数の点で、本実施形態の読取部６は、第１〜第３の実施形態と異なる。尚、本実施形態では、光源８０の個数を減らすので、光源８０１つあたりの光量は、第１〜第３の実施形態の場合よりも多くする。その他の点では、第１〜第３の実施形態と同様でよく、共通する部分については、援用するものとして、図示、説明を省略する。
【０１５０】
具体的に、本実施形態では、読取制御部１０は、巻取モータ１４を制御して、左調整位置に読取部６を移動させる。読取部６は、左調整位置で読み取りを行う。又、読取制御部１０は、巻取モータ１４を制御して、右調整位置に読取部６を移動させる。読取部６は、右調整位置で読み取りを行う。尚、各調整位置は第２の実施形態と同様に複数設けられても良い。
【０１５１】
例えば、本実施形態では、読取制御部１０は、左調整位置の読み取りでは、ランプ８の中央部分の受光素子９０の出力値に基づき濃度値を定める。読取制御部１０は、ランプ８の中央部分の１つの受光素子９０の出力値を左調整位置の濃度値と定めても良いし、ランプ８の中央部分の複数の受光素子９０の出力値の平均値を左調整位置の濃度値と定めても良い。
【０１５２】
又、本実施形態では、読取制御部１０は、右調整位置の読み取りでは、左調整位置と同様にランプ８の中央部分の受光素子９０の出力値に基づき濃度値を定める。読取制御部１０は、左調整位置のときと同じ１つの受光素子９０の出力値を右調整位置の濃度値と定めても良いし、ランプ８の中央部分の複数の受光素子９０であって左調整位置のときと同じ位置の受光素子９０の出力値の平均値を右調整位置の濃度値と定めても良い。
【０１５３】
そして、読取制御部１０は、定めた左調整位置での濃度値と右調整位置での濃度値を比較する。そして、読取制御部１０は、第１の実施形態と同様に濃度値の差と、記憶部１０ａに記憶されたテーブルを用いて、暗い方（濃い方）の濃度値のランプ８の手前側の光源８０の光量が増えるように、暗い方のランプ８の手前側の光源８０の光量データを補正する。このようにして、左ランプ８Ｌと右ランプ８Ｒの光源８０の光量を調整して、濃度値の差の解消を図る。
【０１５４】
主走査方向で光を放射する導光体８１の一方の端部に光源８０が設けられるランプ８（左ランプ８Ｌ、右ランプ８Ｒ）では、ランプ８（左ランプ８Ｌ、右ランプ８Ｒ）の主走査方向の中央位置での光量が適切か否かが１つの目安となる。そして、本実施形態の画像読取装置１００（複合機１０１）は、各ランプ８（左ランプ８Ｌ、右ランプ８Ｒ）は、棒状の導光体８１と、導光体８１の端部に１つの光源８０を含み、濃度確認部（読取制御部１０）は、左調整位置で読み取ったときのランプ８の中央部分に位置する１つの受光素子９０の出力値、又は、複数の受光素子９０の出力値の平均値に基づき左調整位置での濃度値を定め、右調整位置で読み取ったときのランプ８の中央部分に位置する１つの受光素子９０の出力値、又は、複数の受光素子９０の出力値の平均値に基づき右調整位置での濃度値を定め、各濃度値の差が無くなるように光源８０の光量の調整量を定める。これにより、ランプ８の一方の端部に設けられた各光源８０の光量を適切に調整することができる。
【０１５５】
（第５の実施形態）
次に、図１７を用いて第４の実施形態を説明する。図１７は、第５の実施形態での光量調整テーブルＴ２の一例を示す説明図である。
【０１５６】
第１〜第４の実施形態では、発光制御部１０ｂが光源８０（ＬＥＤ）の光量をＰＷＭ信号のデューティ比を代えることにより、１つの光源８０の光量を増減させる例を説明した。本実施形態では、デューティ比ではなく、発光制御部１０ｂは、電流の大きさを変えることにより、光源８０の光量を補正する。従って、本実施形態の発光制御部１０ｂは、各光源８０に対し、それぞれ別個に電流を供給し、又、各光源８０に供給する電流（電圧）の大きさを光源８０ごとに可変できる回路を含む。従って、記憶部１０ａは、光量を示す光量データとして、各光量について供給する（流す）電流値を記憶する。そして、読取制御部１０は、記憶部１０ａに記憶された各光源８０の光量データに基づき、発光制御部１０ｂに各光源８０への電流の供給を行わせる。
【０１５７】
ここで、各ランプ８の光量調整を行うとき、読取制御部１０は、左調整位置での読み取りに基づき定めた濃度値と、右調整位置での読み取りに基づき、濃度値の差（左ランプ８Ｌの光源８０の光量と右ランプ８Ｒの光源８０の光量の差）を認識し、濃度値の差があれば、暗い方のランプ８の光源８０の光量データを補正する点は、第１〜第４の実施形態と同様である。
【０１５８】
具体的には、読取制御部１０は、左調整位置と右調整位置の濃度値の差に基づき、暗い方のランプ８の光量データを補正し、補正後のデータを記憶部１０ａに記憶させる。読取制御部１０は、暗い方のランプ８の光源８０の光量を増やすように補正する。読取制御部１０は、濃度値の差に基づき、光量を増やす光源８０の電流をどれだけ増やすかを定める（調整量を定める）。
【０１５９】
例えば、図１７に示すように、記憶部１０ａに、濃度値の差に対して増やす電流の大きさを定めた光量調整テーブルＴ２を記憶させておく。そして、読取制御部１０は、光量調整テーブルＴ２を参照して、左調整位置と右調整位置の濃度値の差に応じて、光量を増やそうとする光源８０に現状から上乗せする電流の大きさを定める（調整量を定める）。そして、読取制御部１０は、光量を増やそうとする光源８０の現状の電流の大きさに、上乗せすると定めた電流の大きさを加算して補正し、補正後の光量データを記憶部１０ａに記憶させる。尚、第１〜第４の実施形態と同様に、左調整位置と右調整位置の濃度値の差が予め定められた許容差に収まるとき、読取制御部１０は、光源８０の光量を示すデータの補正を行わなくてよい。
【０１６０】
このようにして、本実施形態の発光制御部１０ｂは、光源８０に印加する電圧又は供給する電流の大きさを変化させて各光源８０の光量を調整する。これにより、ランプ８（左ランプ８Ｌ、右ランプ８Ｒ）の光源８０の光量を調整することができる。
【産業上の利用可能性】
【０１６１】
本発明は、イメージセンサーの両側にランプを設けた画像読取装置や、この画像読取装置を含む画像形成装置に利用可能である。
【符号の説明】
【０１６２】
１００  画像読取装置                    １０１  複合機（画像形成装置）
１      画像読取部                      １０    読取制御部（濃度確認部）
１０ａ  記憶部                          １０ｂ  発光制御部
１２    ワイヤ（移動機構）              １３    巻取ドラム（移動機構）
１４    巻取モータ（移動機構）          ２      操作パネル（報知部）
６      読取部                          ７      白基準板
７１    凸部                            ７２    段差
７２Ｌ  左段差                          ７２Ｒ  右段差
８      ランプ                          ８Ｌ    左ランプ（ランプ）
８Ｒ    右ランプ（ランプ）              ８０    光源
８１    導光体                          ９      イメージセンサー
９０    受光素子                        Ｓ１    異常報知画面
Ｔ１    光量調整テーブル                Ｔ２    光量調整テーブル
【図１】
0005703162.tif 000002
【図２】
0005703162.tif 000003
【図３】
0005703162.tif 000004
【図４】
0005703162.tif 000005
【図５】
0005703162.tif 000006
【図６】
0005703162.tif 000007
【図７】
0005703162.tif 000008
【図８】
0005703162.tif 000009
【図９】
0005703162.tif 000010
【図１０】
0005703162.tif 000011
【図１１】
0005703162.tif 000012
【図１２】
0005703162.tif 000013
【図１３】
0005703162.tif 000014
【図１４】
0005703162.tif 000015
【図１５】
0005703162.tif 000016
【図１６】
0005703162.tif 000017
【図１７】
0005703162.tif 000018